(57)【要約】【課題】  施工現場において、屋根パネルを吊上げることなく勾配を調整することができる屋根パネル及び屋根パネルの施工方法を提供すること。【解決手段】  建物ユニット１の上部に載置されて屋根部を構成する屋根パネル３であって、該屋根パネル３には建物ユニット上梁１４と屋根パネル３との間隙を調整するアジャスタボルト１０が設けられている。【選択図】        図１
2005163420.tif 000002
【特許請求の範囲】
【請求項１】
建物ユニットの上部に載置されて屋根部を構成する屋根パネルであって、該屋根パネルには建物ユニット上梁と屋根パネルとの間隙を調整するアジャスタボルトが設けられていることを特徴とする屋根パネル。
【請求項２】
上記建物ユニットと屋根パネルは工場で載置されて一体化されており、施工現場で屋根パネルに設けられたアジャスタボルトによって建物ユニットと屋根パネルとの間隔を所定の位置に調整することを特徴とする請求項１記載の屋根パネルの施工方法。
【請求項３】
上記建物ユニットと屋根パネルとの間隔を所定の位置に調整した後に、スペーサーを入れて固定することを特徴とする請求項１又は２記載の屋根パネルの施工方法。
【発明の詳細な説明】
【技術分野】
【０００１】
本発明はユニット建物に用いられる屋根パネル及び屋根パネルの施工方法に関する。
【背景技術】
【０００２】
従来、工場で建物ユニットに屋根パネルやバルコニー床パネルを予め載せて出荷することは、施工現場では工数が削減されるので都合が良く、公知である。（例えば、特許文献１参照）。その際、工場で屋根パネルに勾配を付けて固定してしまうと、屋根パネル付き建物ユニットの高い部分が、トンネル内を通過できないとかの輸送制限を越えてしまうため、施工現場において、一旦屋根パネルを吊上げて勾配を調整している。
【特許文献１】特開平６−３１６９７０号公報
【発明の開示】
【発明が解決しようとする課題】
【０００３】
しかしながら、施工現場において、屋根パネルを宙に浮かせた状態での作業は危険であった。
【０００４】
この発明は、上記事情に鑑みなされてもので、施工現場において、屋根パネルを吊上げることなく勾配を調整することができる屋根パネル及び屋根パネルの施工方法を提供することを目的とするものである。
【課題を解決するための手段】
【０００５】
上記目的を達成するために、請求項１に記載された発明では、建物ユニットの上部に載置されて屋根部を構成する屋根パネルであって、該屋根パネルには建物ユニット上梁と屋根パネルとの間隙を調整するアジャスタボルトが設けられていることを特徴としている。
【０００６】
請求項２に記載された発明では、上記建物ユニットと屋根パネルは工場で載置されて一体化されており、施工現場で屋根パネルに設けられたアジャスタボルトによって建物ユニットと屋根パネルとの間隔を所定の位置に調整することを特徴としている。
【０００７】
請求項３に記載された発明では、上記建物ユニットと屋根パネルとの間隔を所定の位置に調整した後に、スペーサーを入れて固定することを特徴としている。
【発明の効果】
【０００８】
請求項１及び２記載にかかる発明によれば、屋根パネルには建物ユニット上梁と屋根パネルとの間隙を調整するアジャスタボルトが設けられているので、工場で予め建物ユニットに勾配を付けずに、輸送制限を越えないレベルに屋根パネルを取付けて一体化して出荷し、施工現場においてアジャスタボルトによって建物ユニットと屋根パネルとの間隔を所定の位置に調整することができる。
【０００９】
請求３記載にかかる発明によれば、上記建物ユニットと屋根パネルとの間隔を所定の位置に調整した後に、スペーサーを入れて固定するので、所定の勾配を確実に、安定して維持することができる。
【発明を実施するための最良の形態】
【００１０】
図１〜図３は、本発明の一実施例であって、図１は建物ユニットと屋根パネルの施工方法を示す説明図であって、（ａ）は施工前の要部斜視図、（ｂ）は施工方法を示す要部斜視図である。図２は建物ユニットと屋根パネルを分解して示す説明図である。図３はスペーサーの斜視図である。図において、１は建物ユニットで、２はスペーサー、３は屋根パネルである。
【００１１】
本実施例は、上記建物ユニット１を上下左右に隣接設置してユニット建物（不図示）が構成され、その建物ユニット１の上に載置される屋根パネル３の施工方法を具体的に示すものである。上記ユニット建物は、工場生産した建物ユニット１を施工現場に輸送し、これら建物ユニット１を建物基礎（不図示）の上に隣接して設置し、更に建物ユニット１の上に屋根パネル３を載置し、それぞれ互いに連結固定して構築される。
【００１２】
本実施例においては、上記建物ユニット１に屋根パネル３が予め工場で一体化されて、施工現場に輸送し、施工現場では屋根ユニット３を吊上げたりする危険な作業が不要な屋根パネル３及び屋根パネル３の施工方法を説明するものである。
上記建物ユニット１は図２に示すように、矩形状の床パネル１１と、この床パネル１１の両側長辺に立設された壁パネル１２，１２と、床パネル１１の両側短辺に立設された壁パネル１３，１３とから箱形に構成されている。
そして、上記壁パネル１２，１２と対向する壁パネル１３，１３の最上高さ位置に屋根大梁１４が架け渡され、この屋根大梁の桁側の屋根大梁１４の上面にアジャスタボルト１０付き屋根パネル３の垂木受け梁３２が載置されて一体化されている。
【００１３】
上記屋根パネル３は、図２に示すように、壁パネル１２と屋根大梁１４のそれぞれに載置される一対の垂木受け梁３２，３２と、この垂木受け梁３２と直交し壁パネル１３に載置される一対の垂木受け梁３１，３１と、垂木受け梁３２，３２間に架け渡された垂木３３，３３、・・から矩形状に枠組され、この枠組の上に不図示の野地板を貼設してパネル状に構成されている。
【００１４】
建物ユニット１と屋根パネル３との間隙をアジャスタボルト１０により所定の位置に調整した後に、スペーサー２を入れて固定するが、このスペーサーは図３に示すように上にコの字状の立ち上がり部２１とその両側に屋根大梁１４に接する折り曲げ部２２，２２を有している固定部材である。立ち上がり部２１は屋根パネル３の垂木受け梁３２と屋根大梁１４との間隙を一定に固定する。又、立ち上がり部２１には垂木受け梁３２との間を固定するボルト孔２３が設けられ、折り曲げ部２２，２２には屋根大梁との間を固定するボルト孔２４，２４が設けられている。
【００１５】
本実施例の屋根パネルの施工方法においては、図１（ａ）に示すように、工場にて屋根パネル３の垂木受け梁３２と建物ユニット１の桁屋根大梁１４とは一体化されて、輸送され、施工現場にてアジャスタボルト１０を締め込み、屋根パネル３を浮かせる。次に図１（ｂ）に示すようにスペーサー２を挿入して折り曲げ部２２，２２のボルト孔２４，２４と屋根大梁１４の不図示のボルト孔とをボルトにて固定する。
【００１６】
その後、アジャスタボルト１０を緩めて屋根パネル３を下ろし、垂木受け梁３２とスペーサー２の立ち上がり部２１のボルト孔２３とをボルト４０にて固定する。最後にアジャスタボルト１０を更に緩めて抜き取る。それ故、アジャスタボルト１０は何度も再利用が可能である。
【００１７】
以上、本発明の実施の形態を図面により詳述してきたが、具体的な構成はこの実施の形態に限られるものではなく、本発明の要旨を逸脱しない範囲における設計の変更等があっても本発明に含まれる。
【図面の簡単な説明】
【００１８】
【図１】この発明に係る建物ユニットと屋根パネルの施工方法を示す説明図であって、（ａ）は施工前の要部斜視図、（ｂ）は施工方法を示す要部斜視図である。
【図２】建物ユニットと屋根パネルを分解して示す説明図である。
【図３】スペーサーの斜視図である。
【符号の説明】
【００１９】
１   建物ユニット
２   スペーサー
３  屋根パネル
１０  アジャストボルト
１４  屋根大梁
３２  垂木受け梁
３３  垂木
【図１】
2005163420.tif 000003
【図２】
2005163420.tif 000004
【図３】
2005163420.tif 000005